【手続補正書】
【提出日】平成26年5月23日(2014.5.23)
【手続補正１】
【補正対象書類名】明細書
【補正対象項目名】発明の名称
【補正方法】変更
【補正の内容】
【発明の名称】記録装置および記録方法
【手続補正２】
【補正対象書類名】明細書
【補正対象項目名】０００１
【補正方法】変更
【補正の内容】
【０００１】
本発明は、インクを吐出する複数のノズル間の吐出特性ばらつきに起因した色むらを低減することが可能な記録装置および記録方法に関する。
【手続補正３】
【補正対象書類名】明細書
【補正対象項目名】０００８
【補正方法】変更
【補正の内容】
【０００８】
そのために本発明は、第１のインクを吐出する複数のノズルが所定方向に配列された第１のノズル列と、第２のインクを吐出する複数のノズルが前記所定方向に配列された第２のノズル列と、が前記所定方向と交差する搬送方向に配列し、前記第１のノズル列及び前記第２のノズル列を用いて前記搬送方向に搬送される記録媒体に対して画像を記録する記録装置であって、前記第１のノズル列のうち一部のノズルを含む第１のノズル群及び前記第２のノズル列のうち一部のノズルを含む第２のノズル群を用いて前記記録媒体上の第１の領域に画像を記録し、前記第１のノズル列のうち前記第１のノズル群のノズルとは異なるノズルを含む第３のノズル群及び前記第２のノズル列のうち前記第２のノズル群とは異なるノズルを含む第４のノズル群を用いて前記第１の領域とは異なる第２の領域に画像を記録する記録手段と、前記第１のノズル群及び前記第２のノズル群の吐出特性に基づいて設定された第１の変換データを用いて、入力された複数の要素を含む色信号を前記第１の領域に対して前記第１のインク及び前記第２のインクを吐出するための複数の要素を含む色信号に変換し、且つ、前記第３のノズル群及び前記第４のノズル群の吐出特性に基づいて設定された第２の変換データを用いて、入力された複数の要素を含む色信号を前記第２の領域に対して前記第１のインク及び前記第２のインクを吐出するための複数の要素を含む色信号に変換する変換手段と、前記変換手段により変換された色信号に基づいて、前記第１の領域及び前記第２の領域に対して前記記録手段に画像を記録させるように制御する制御手段と、を備えることを特徴とする。
【手続補正４】
【補正対象書類名】特許請求の範囲
【補正対象項目名】全文
【補正方法】変更
【補正の内容】
【特許請求の範囲】
【請求項１】
第１のインクを吐出する複数のノズルが所定方向に配列された第１のノズル列と、第２のインクを吐出する複数のノズルが前記所定方向に配列された第２のノズル列と、が前記所定方向と交差する搬送方向に配列し、前記第１のノズル列及び前記第２のノズル列を用いて前記搬送方向に搬送される記録媒体に対して画像を記録する記録装置であって、
前記第１のノズル列のうち一部のノズルを含む第１のノズル群及び前記第２のノズル列のうち一部のノズルを含む第２のノズル群を用いて前記記録媒体上の第１の領域に画像を記録し、前記第１のノズル列のうち前記第１のノズル群のノズルとは異なるノズルを含む第３のノズル群及び前記第２のノズル列のうち前記第２のノズル群とは異なるノズルを含む第４のノズル群を用いて前記第１の領域とは異なる第２の領域に画像を記録する記録手段と、
前記第１のノズル群及び前記第２のノズル群の吐出特性に基づいて設定された第１の変換データを用いて、入力された複数の要素を含む色信号を前記第１の領域に対して前記第１のインク及び前記第２のインクを吐出するための複数の要素を含む色信号に変換し、且つ、前記第３のノズル群及び前記第４のノズル群の吐出特性に基づいて設定された第２の変換データを用いて、入力された複数の要素を含む色信号を前記第２の領域に対して前記第１のインク及び前記第２のインクを吐出するための複数の要素を含む色信号に変換する変換手段と、
前記変換手段により変換された色信号に基づいて、前記第１の領域及び前記第２の領域に対して前記記録手段に画像を記録させるように制御する制御手段と、
を備えることを特徴とする記録装置。
【請求項２】
前記変換手段に入力される複数の要素を含む色信号は、ＲＧＢ信号、ＣＭＹＫ信号、Ｌ*ａ*ｂ*信号、Ｌｕｖ信号、ＬＣｂＣｒ信号、ＬＣＨＲ信号、のいずれかであることを特徴とする請求項１に記載の記録装置。
【請求項３】
前記変換手段により変換された複数の要素を含む色信号は、ＲＧＢ信号であることを特徴とする請求項１または２に記載の記録装置。
【請求項４】
前記第１のノズル群及び前記第２のノズル群の吐出特性、及び、前記第３のノズル群及び前記第４のノズル群の吐出特性を取得する取得手段と、
前記取得手段により取得された、前記第１のノズル群及び前記第２のノズル群の吐出特性に基づいて前記第１の変換データを設定し、前記第３のノズル群及び前記第４のノズル群の吐出特性に基づいて前記第２の変換データを設定する設定手段と、
をさらに備えることを特徴とする請求項１から３のいずれか１項に記載の記録装置。
【請求項５】
前記取得手段は、前記第１のノズル群及び前記第２のノズル群を用いて前記第１インク及び前記第２インクで記録された第１パッチの測定結果に基づいて前記第１のノズル群及び前記第２のノズル群の吐出特性を取得し、前記第３のノズル群及び前記第４のノズル群を用いて前記第１インク及び前記第２インクで記録された第２パッチの測定結果に基づいて前記第３のノズル群及び前記第４のノズル群の吐出特性を取得することを特徴とする請求項４に記載の記録装置。
【請求項６】
前記第１のノズル列と前記第１領域との前記所定方向の相対位置に基づいて、前記第１のノズル列に含まれるノズルを前記第１のノズル群に割り当て、前記第２のノズル列と前記第１領域の前記所定方向の相対位置に基づいて、前記第２のノズル列に含まれるノズルを前記第２のノズル群に割り当て、前記第１のノズル列と前記第２領域との前記所定方向の相対位置に基づいて、前記第１のノズル列に含まれるノズルを前記第３のノズル群に割り当て、前記第２のノズル列と前記第２領域の前記所定方向の相対位置に基づいて、前記第２のノズル列に含まれるノズルを前記第４のノズル群に割り当てる割当手段をさらに備え、
前記制御手段は、前記割当手段により割り当てられたノズルを用いて前記第１の領域及び前記第２の領域に対して前記記録手段に画像を記録させるように制御することを特徴とする請求項１から５のいずれか１項に記載の記録装置。
【請求項７】
前記変換手段は、所定の色信号が入力される場合に、前記第１のノズル群及び前記第２のノズル群を用いて前記第１の領域に前記第１のインク及び前記第２のインクを吐出することにより記録される画像の色と、前記所定の色信号が入力される場合に、前記第３のノズル群及び前記第４のノズル群を用いて前記第２の領域に前記第１のインク及び前記第２のインクを吐出することにより記録される画像の色と、の差が低減するように変換することを特徴とする請求項１から６のいずれか１項に記載の記録装置。
【請求項８】
所定の第２の色信号が入力される場合に、前記第１のノズル群のみを用いて前記第１のインクを吐出することにより前記第１の領域に記録される画像の濃度と、前記所定の第２の色信号が入力される場合に、前記第３のノズル群のみを用いて前記第１のインクを吐出することにより前記第１の領域に記録される画像の濃度と、の差を低減するように、前記第１の領域に記録すべき画像のデータにおける前記第１のインクに対応する色信号と、前記第２の領域に記録すべき画像のデータにおける前記第１のインクに対応する色信号と、を変換し、所定の第３の色信号が入力される場合に、前記第２のノズル群のみを用いて前記第２のインクを吐出することにより前記第１の領域に記録される画像の濃度と、前記所定の第３の色信号が入力される場合に、前記第４のノズル群のみを用いて前記第２のインクを吐出することにより前記第２の領域に記録される画像の濃度と、の差を低減するように、前記第１の領域に記録すべき画像のデータにおける前記第２のインクに対応する色信号と、前記２の領域に記録すべき画像のデータにおける前記第２のインクに対応する色信号と、を変換する第２変換手段をさらに備えることを特徴とする請求項１から７のいずれか１項に記載の記録装置。
【請求項９】
第１のインクを吐出する複数のノズルが所定方向に配列された第１のノズル列と、第２のインクを吐出する複数のノズルが前記所定方向に配列された第２のノズル列と、が前記所定方向と交差する搬送方向に配列し、前記第１のノズル列及び前記第２のノズル列を用いて前記搬送方向に搬送される記録媒体に対して画像を記録する記録方法であって、
前記第１のノズル列のうち一部のノズルを含む第１のノズル群及び前記第２のノズル列のうち一部のノズルを含む第２のノズル群を用いて前記記録媒体上の第１の領域に画像を記録し、前記第１のノズル列のうち前記第１のノズル群のノズルとは異なるノズルを含む第３のノズル群及び前記第２のノズル列のうち前記第２のノズル群とは異なるノズルを含む第４のノズル群を用いて前記第１の領域とは異なる第２の領域に画像を記録する記録工程と、
前記第１のノズル群及び前記第２のノズル群の吐出特性に基づいて設定された第１の変換データを用いて、入力された複数の要素を含む色信号を前記第１の領域に対して前記第１のインク及び前記第２のインクを吐出するための複数の要素を含む色信号に変換し、且つ、前記第３のノズル群及び前記第４のノズル群の吐出特性に基づいて設定された第２の変換データを用いて、入力された複数の要素を含む色信号を前記第２の領域に対して前記第１のインク及び前記第２のインクを吐出するための複数の要素を含む色信号に変換する変換工程と、
前記変換工程により変換された色信号に基づいて、前記第１の領域及び前記第２の領域に対して前記記録工程に画像を記録させるように制御する制御工程と、
を有することを特徴とする記録方法。
【請求項１０】
前記変換工程に入力される複数の要素を含む色信号は、ＲＧＢ信号、ＣＭＹＫ信号、Ｌ*ａ*ｂ*信号、Ｌｕｖ信号、ＬＣｂＣｒ信号、ＬＣＨＲ信号、のいずれかであることを特徴とする請求項９に記載の記録方法。
【請求項１１】
前記変換工程により変換された複数の要素を含む色信号は、ＲＧＢ信号であることを特徴とする請求項９または１０に記載の記録方法。
【請求項１２】
前記第１のノズル群及び前記第２のノズル群の吐出特性、及び、前記第３のノズル群及び前記第４のノズル群の吐出特性を取得する取得工程と、
前記取得工程により取得された、前記第１のノズル群及び前記第２のノズル群の吐出特性に基づいて前記第１の変換データを設定し、前記第３のノズル群及び前記第４のノズル群の吐出特性に基づいて前記第２の変換データを設定する設定工程と、
をさらに有することを特徴とする請求項９から１１のいずれか１項に記載の記録方法。
【請求項１３】
前記取得工程は、前記第１のノズル群及び前記第２のノズル群を用いて前記第１インク及び前記第２インクで記録された第１パッチの測定結果に基づいて前記第１のノズル群及び前記第２のノズル群の吐出特性を取得し、前記第３のノズル群及び前記第４のノズル群を用いて前記第１インク及び前記第２インクで記録された第２パッチの測定結果に基づいて前記第３のノズル群及び前記第４のノズル群の吐出特性を取得することを特徴とする請求項１２に記載の記録方法。
【請求項１４】
前記第１のノズル列と前記第１領域との前記所定方向の相対位置に基づいて、前記第１のノズル列に含まれるノズルを前記第１のノズル群に割り当て、前記第２のノズル列と前記第１領域の前記所定方向の相対位置に基づいて、前記第２のノズル列に含まれるノズルを前記第２のノズル群に割り当て、前記第１のノズル列と前記第２領域との前記所定方向の相対位置に基づいて、前記第１のノズル列に含まれるノズルを前記第３のノズル群に割り当て、前記第２のノズル列と前記第２領域の前記所定方向の相対位置に基づいて、前記第２のノズル列に含まれるノズルを前記第４のノズル群に割り当てる割当工程をさらに有し、
前記制御工程は、前記割当工程により割り当てられたノズルを用いて前記第１の領域及び前記第２の領域に対して前記記録工程で画像を記録させるように制御することを特徴とする請求項９から１３のいずれか１項に記載の記録方法。
【請求項１５】
前記変換工程は、所定の色信号が入力される場合に、前記第１のノズル群及び前記第２のノズル群を用いて前記第１の領域に前記第１のインク及び前記第２のインクを吐出することにより記録される画像の色と、前記所定の色信号が入力される場合に、前記第３のノズル群及び前記第４のノズル群を用いて前記第２の領域に前記第１のインク及び前記第２のインクを吐出することにより記録される画像の色と、の差が低減するように変換することを特徴とする請求項９から１４のいずれか１項に記載の記録方法。
【請求項１６】
所定の第２の色信号が入力される場合に、前記第１のノズル群のみを用いて前記第１のインクを吐出することにより前記第１の領域に記録される画像の濃度と、前記所定の第２の色信号が入力される場合に、前記第３のノズル群のみを用いて前記第１のインクを吐出することにより前記第１の領域に記録される画像の濃度と、の差を低減するように、前記第１の領域に記録すべき画像のデータにおける前記第１のインクに対応する色信号と、前記第２の領域に記録すべき画像のデータにおける前記第１のインクに対応する色信号と、を変換し、所定の第３の色信号が入力される場合に、前記第２のノズル群のみを用いて前記第２のインクを吐出することにより前記第１の領域に記録される画像の濃度と、前記所定の第３の色信号が入力される場合に、前記第４のノズル群のみを用いて前記第２のインクを吐出することにより前記第２の領域に記録される画像の濃度と、の差を低減するように、前記第１の領域に記録すべき画像のデータにおける前記第２のインクに対応する色信号と、前記２の領域に記録すべき画像のデータにおける前記第２のインクに対応する色信号と、を変換する第２変換工程をさらに有することを特徴とする請求項９から１５のいずれか１項に記載の記録方法。